(57)【要約】      （修正有）【課題】照明機能を有するとともに、小型、軽量、コンパクトであり、使いやすく、長時間の使用が可能な携帯用の照明具を提供する。【解決手段】携帯用の照明具１００は、発光素子としてＬＥＤ５と、ＵＳＢ端子７の付いたケーブル９とを有するものである。照明具１００には、ＵＳＢ端子７の付いたケーブル９によって外部のＵＳＢ電源より電源が供給される。ＬＥＤ５は、マグネシウム合金製又はアルミニウム合金製の基体１に、シリコン樹脂３を用いて直線状に一列に固定されている。この携帯用の照明具１００は、外部のＵＳＢ電源を介してネック用紐と結合されて首からぶら下げた状態で使用する。そして、ボタン式のスイッチ６を押すことによって、照明具１００のＬＥＤ５を発光させる。【選択図】図１
0003194159.tif 000002
【実用新案登録請求の範囲】
【請求項１】
携帯用の照明具であって、
発光素子としてＬＥＤと、ＵＳＢ端子の付いたケーブルとを有するものであり、
該ＬＥＤの電源は、前記ＵＳＢ端子の付いたケーブルによって外部のＵＳＢ電源より供給されるものである
ことを特徴とする携帯用の照明具。
【請求項２】
前記携帯用の照明具には、発光素子として複数個のＬＥＤが用いられており、
該ＬＥＤは、基体に絶縁性の樹脂を用いて直線状に一列に固定されている
ことを特徴とする請求項１記載の携帯用の照明具。
【請求項３】
前記基体は、マグネシウム合金製又はアルミニウム合金製であり、
前記絶縁性の樹脂は、シリコン樹脂である
ことを特徴とする請求項２記載の携帯用の照明具。
【請求項４】
前記携帯用の照明具は、ＩＤカードケースに固定されており、
該ＩＤカードケースは、前記外部のＵＳＢ電源を介してネック用紐と結合されて、首からぶら下げられて使用されるものである
ことを特徴とする請求項１乃至請求項３のいずれか一項に記載の携帯用の照明具。
【請求項５】
前記携帯用の照明具は、ＩＤカードケースに固定されており、
該ＩＤカードケースは、クリップ又は安全ピンを用いて固定されて使用されるものである
ことを特徴とする請求項１乃至請求項３のいずれか一項に記載の携帯用の照明具。
【考案の詳細な説明】
【技術分野】
【０００１】
本考案は、携帯用の照明具に関するものである。
【背景技術】
【０００２】
宅配便業者などにとっては、夜間の集配達等において、お客様から署名をもらったり、捺印をしてもらったり、自分で必要事項を記入したりするような場合には、何らかの光源がないと伝票等が極めて見にくいというような問題点があった。また、薄暗い配送倉庫内などでは、宅配先の宛名を探すのは困難であるというような問題点もあった。
【０００３】
一方、懐中電灯などの照明具を片手で持って作業をするのは、荷物の運搬が困難であったり、片方の手が塞がれたりするので煩わしく、作業に支障をきたす場合が多いというような問題点があった。
【０００４】
そこで、持ち運びに便利であり、小型、軽量、コンパクトな照明具の発明がされて開示されている（特許文献１〜特許文献３）。これらの照明具は、どれも小型・軽量・コンパクトな構造をしているので便利なものである。
【先行技術文献】
【特許文献】
【０００５】
【特許文献１】実用新案登録第３０１５７２２号公報
【特許文献２】特開２００７−１２００６６号公報
【特許文献３】特開２０１２−１８８９７号公報
【考案の概要】
【考案が解決しようとする課題】
【０００６】
しかしながら、上述した特許文献１に記載のカード型フラッシュライトは、一次電池を使用しているので使用済の電池の交換が煩わしいという問題点があった。加えて、点灯スイッチが手動押圧によるものであり、ラッチ機能を有さないものなので、光源ランプを点灯させておくには指先による押圧をそのまま続ける必要があるので使いにくいというような問題点もあった。
【０００７】
また、特許文献２に記載のカードキーは薄型・コンパクトではあるものの、本来はホテル等の部屋で施錠・開錠などの際に一時的に使用されるためのものである。したがって、カードキーに内臓されている電池容量が小さく、短時間しか発光できないものであった。すなわち、宅配便業者などが常時使用する照明具としては不十分な電池容量のものであった。
【０００８】
加えて、特許文献３に記載の携帯用カード型の緊急用照明システムは、別付けの一次電池や二次電池などの専用の電池パックが必要となるものである。すなわち、電池容量としては十分ではあるものの、携帯用カード型の緊急用照明全体としてはかなり大型のものであった。したがって、宅配便業者などが衣服の胸などに着けて常時使用する照明具としては邪魔になり、使いにくいものであるというような問題点があった。
【０００９】
本考案は、上述した問題点を解決するものであり、照明機能を有するとともに、小型、軽量、コンパクトであり、使いやすく、長時間の使用が可能な携帯用の照明具を提供するものである。
【課題を解決するための手段】
【００１０】
本考案は、上述したような従来からの問題点を解決するものであり、小型、軽量、コンパクトであり、使いやすい携帯用の照明具として、消費電力の少ないＬＥＤを使用をするものである。
【００１１】
請求項１に記載された考案は、携帯用の照明具であって、発光素子としてＬＥＤと、ＵＳＢ端子の付いたケーブルとを有するものであり、該ＬＥＤの電源は、前記ＵＳＢ端子を有するケーブルによって外部のＵＳＢ電源より供給されるものであることを特徴としている。
【００１２】
請求項１に記載の考案によると、小型、軽量、コンパクトであり、使いやすく、長時間の使用が可能な携帯用の照明具を提供することができる。
【００１３】
請求項２に記載した考案は、前記照明具には、複数個のＬＥＤが用いられており、該ＬＥＤは、基体に絶縁性の樹脂を用いて直線状に一列に固定されていることを特徴としている。
【００１４】
請求項２に記載の考案によると、複数個のＬＥＤを、直線状に一列に基体に固定することによって、携帯用の照明具をよりコンパクト化することができる。
【００１５】
請求項３に記載の考案は、請求項２記載の考案において、前記基体は、マグネシウム合金製又はアルミニウム合金製であり、前記絶縁性の樹脂は、シリコン樹脂であることを特徴としている。
【００１６】
請求項３に記載の考案によると、発光に伴うＬＥＤ５の温度上昇を長期間にわたって抑制することができる。したがって、ＬＥＤ５の発光効率を高めるとともに長寿命化をすることができる。
【００１７】
請求項４に記載の考案は、請求項１乃至請求項３のいずれか一項に記載の携帯用の照明具であって、前記携帯用の照明具は、ＩＤカードケースに固定されており、該ＩＤカードケースは、前記外部のＵＳＢ電源を介してネック用紐と結合されて、首からぶら下げられて使用されるものであることを特徴としている。
【００１８】
請求項５に記載の考案は、請求項１乃至請求項３のいずれか一項に記載の携帯用の照明具であって、前記携帯用の照明具は、ＩＤカードケースに固定されており、該ＩＤカードケースは、クリップ又は安全ピンを用いて固定されて使用されるものであることを特徴としている。
【００１９】
請求項４又は請求項５に記載の考案によると、宅配便業者等にとっては、発光素子を有する携帯用の照明具を手で持つ必要がないので使いやすくすることができる。また、集配達先のお客様にとっては、ＩＤカードケース１１内のＩＤカード１３も視認できるので、安心して署名や捺印をすることができる。
【考案の効果】
【００２０】
本考案による携帯用の照明具を用いると、小型、軽量、コンパクトであり、使いやすく、長時間の使用が可能な携帯用の照明具を提供することができる。
【図面の簡単な説明】
【００２１】
【図１】携帯用の照明具の概略図である。
【図２】携帯用の照明具をＩＤカードケースに用いた概略図である。
【図３】携帯用の照明具を有するＩＤカードケースの使用例である。
【００２２】
（ａ）外部のＵＳＢ電源として携帯音楽機器を使用した場合の例である。
【００２３】
（ｂ）首にぶら下げて使用する例である。
【図４】携帯用の照明具を有するＩＤカードケースの使用例である。
【００２４】
（ａ）クリップを使用して衣服に固定する場合の例である。
【００２５】
（ｂ）胸ポケットに固定して使用する場合の例である。
【図５】電気スタンドとしての使用例である。
【考案を実施するための形態】
【００２６】
以下において、本考案に係わる携帯用の照明具１００の実施の形態について図１〜図５を用いて詳細に説明する。
【００２７】
本考案に係わる携帯用の照明具１００は、発光素子としてＬＥＤ５と、電源を供給するためのＵＳＢ端子７の付いたケーブル９とを有するものである（図１）。すなわち、携帯用の照明具１００は、発光素子として消費電力の少ないＬＥＤ５を用いるものである。
１．照明具１００
照明具１００は、薄板棒状の細長い略直方体形状をしたものであり、長さ方向が５０ｍｍ〜１００ｍｍ、幅方向が１０ｍｍ〜２０ｍｍ、厚みが４ｍｍ〜７ｍｍ程度のものである（図１）。以下の実施例では、長さ方向が約８０ｍｍ、幅方向が約１５ｍｍ、厚みが約５ｍｍの細長い略直方体形状をした照明具１００を使用した。
【００２８】
ＬＥＤ５は、断面が略コの字状をした細長の略直方体形状をした基体１に、複数個、例えば、６個のＬＥＤ５を直線状に一列に固定するようにした（図１）。ＬＥＤ５を、直線状に一列に基体１に固定することによって照明具１００の面積をコンパクト化することができる。また、発光素子としてＬＥＤ５を使用しているので消費電力を低減することができる。
【００２９】
これらのＬＥＤ５は、図示されていない回路基板に、それぞれ抵抗を通して並列接続され、ハンダ等によって回路基板に溶接された後、絶縁性の充填剤を用いて基体１に固定されている。
【００３０】
ここで、基体１の材料としては、樹脂製のものや金属製のものを使用することができる。例えば、ポリカーボネイト樹脂等を用いることによって基体１を軽量化することができる。
【００３１】
一方、発光現象に伴うＬＥＤ５の発熱量を効率よく外部に放出するためには、基体１の材料として放熱フィンの機能を有する金属製であることが好ましい。そして、基体１の材料として熱伝導性に優れるとともに比重が低い金属、例えば、マグネシウム合金やアルミニウム合金の加工品を用いるのがより好ましい。
【００３２】
また、ＬＥＤ５を基体１に固定するための絶縁性の充填剤として、熱伝導性や耐熱性に優れているシリコン樹脂３を用いるのがより好ましい。
【００３３】
基体１の材料として、放熱性に優れ、比重の低いマグネシウム合金やアルミニウム合金を使用し、絶縁性の樹脂としてシリコン樹脂３を使用することによって、発光に伴うＬＥＤ５の温度上昇を長期間にわたって抑制することができる。したがって、ＬＥＤ５の発光効率を高めることができるとともに長寿命化をすることができる。
【００３４】
そして、ボタン式のスイッチ６を押すことによって、照明具１００のＬＥＤ５を発光させた状態を保ち、もう一度ボタン式のスイッチ６を押すことによって、ＬＥＤ５を消灯させることができるようにした。
【００３５】
この照明具１００の裏面に、図示されていないクリップ３１や安全ピン３２などの固定具を設置し、それらの固定具を用いて衣服３３の胸ポケット３４などに固定して使用することができる。したがって、宅配便業者などは、この照明具１００を手で持つ必要がない。
２．ＵＳＢ端子及びケーブル
照明具１００には、ＵＳＢ端子７（ここで、ＵＳＢ端子７としては、いわゆるタイプＡ、ミニＡ、マイクロＡなどの端子が含まれる。）を有するケーブル６を用いて外部からＤＣ５Ｖの電源を供給するようにした（図１）。
【００３６】
そして、押しボタン式のスイッチ６を用いて、照明具１００への電源供給をＯＮ−ＯＦＦするようにした。この押しボタン式のスイッチ６は、一度押すとＯＮになり、さらに押すとＯＦＦになるラッチ機能を有する一般的なボタンスイッチである。
【００３７】
このＵＳＢ端子７は、図示されていない外部の携帯用音楽機器、携帯用ゲーム機器、パソコン、タブレット、携帯電話機又は電池パック等のＵＳＢ端子部（例えば、タイプＢ、ミニＢ、マイクロＢなどの端子が含まれる。）に挿入され、ケーブル９を介して照明具１００と電気的に接続される（以下において、外部の携帯用音楽機器、携帯用ゲーム機器、パソコン、タブレット、携帯電話機又は電池パック等を、単に外部のＵＳＢ電源と呼ぶ。）。
【００３８】
これらの外部のＵＳＢ電源は、ＤＣ５Ｖ、仕様により５００ｍＡ〜１Ａ程度の安定した電力を照明具１００に供給することができる。また、これらの外部のＵＳＢ電源に使用されている二次電池の容量は、一般的には５０００ｍＡｈ〜１００００ｍＡｈ程度と比較的大容量のものである。
【００３９】
照明具１００に供給する電力として、容量の大きな外部のＵＳＢ電源を用いることによって、照明具１００本体を小型、軽量、コンパクト化するとともに長時間にわたってＬＥＤ５の発光を維持することができる。
【００４０】
また、携帯用音楽機器等の外部のＵＳＢ電源は電圧安定性にも優れており、充電式の二次電池を用いているので乾電池などの一次電池に比べて電力費用が安価であることや、通常、これらの外部のＵＳＢ電源には残存電池容量が表示されるのでバッテリー切れというような不測の事態も起こりにくい。
【００４１】
加えて、自動車内のシガレット用端子などを用いてこれらの外部のＵＳＢ電源を充電することもできる。したがって、外部のＵＳＢ電源は、宅配便業者等にとっても携帯用の照明具１００の電源として使いやすいものである。
＜実施例１＞
本考案に係わる照明具１００を、透明な樹脂製のＩＤカードケース１１に固定した場合の使用例について説明する（図２）。
【００４２】
これらのＩＤカードケース１１は、身分証明書（以下、単にＩＤカード１３と呼ぶ。）が挿入された状態で胸ポケットにクリップなどで固定されたり、ネック用紐を付けて首からぶら下げられたりして使用されているのが一般的である。
【００４３】
ＩＤカードケース１１は、透明の樹脂製、例えば、アクリル樹脂又はポリカーボネイト樹脂を用いたものであり、接着材を用いたり熱溶着等の手段を用いたりして本考案に係わる照明具１００が固定されているものである（図２）。このＩＤカードケース１１は、後述するようにネック用紐１９を用いて首からぶら下げたり、クリップ３１や安全ピン３２などを用いて衣服３３の胸ポケット３４などに固定したりして使用することができる。
【００４４】
本考案に係わる携帯用の照明具１００の使用例について、図３を用いて説明する。この携帯用の照明具１００は、例えば、ストラップ１７ａを用いて透明なケース２３に入った携帯音楽機器２１（外部のＵＳＢ電源）に固定されている（図３）。
【００４５】
携帯音楽機器２１（外部のＵＳＢ電源）の電力は、ＵＳＢ端子７及びケーブル９を介して携帯用の照明具１００に供給される（図３（ａ））。
【００４６】
この携帯音楽機器２１は、ケース２３を介し、ストラップ１７ｂ及びネック用紐１９を用いて首から下げることができる。そして、携帯用の照明具１００のスイッチ６を押すことによってＬＥＤ５を発光させ、そのまま発光状態を維持することができる。（図３（ａ）、（ｂ））。
【００４７】
したがって、宅配便業者が夜間の集配達等にお客様から捺印をしてもらうような場合において、伝票等が見にくいというような問題点を解決することができる。また、集配達先のお客様にとっては、ＩＤカードケース１１内のＩＤカード１３を視認できるので、安心して署名や捺印をすることができる。
【００４８】
加えて、携帯音楽機器２１は、図示されていない自動車内のシガレット用端子などを用いて充電することもできる。
＜実施例２＞
本考案に係わる携帯用の照明具１００の他の使用例について図４を用いて説明する。なお、上述した実施例１との共通部分は一部省略して説明する。
【００４９】
この携帯用の照明具１００は、透明な樹脂製のＩＤカードケース１１に接着されており、そのＩＤカードケース１１をクリップ３１や安全ピン３３を用いて衣服３３、例えば、上着の胸ポケット３４などに固定できるようにした（図４（ａ）、（ｂ））。
【００５０】
胸ポケット３４の内部（内側）には、外部のＵＳＢ電源として、例えば、図示されていない携帯ゲーム機が入っており、その電力がＵＳＢ端子７及びケーブル９を介して携帯用の照明具１００に供給される（図４（ｂ））。そして、携帯用の照明具１００のスイッチ６を押すことによってＬＥＤ５を発光させることができる（図４（ａ）、（ｂ））。
＜実施例３＞
本考案に係わる携帯用の照明具１００の他の使用例について図５を用いて説明する。なお、上述した実施例１及び実施例２との共通部分は一部省略して説明する。
【００５１】
この携帯用の照明具１００は、透明な樹脂製のＩＤカードケース１１に接着されており、そのＩＤカードケース１１をクリップ３１を用いてスタンド３５に固定することによって電気スタンドとしても使用できる場合の実施例が示されている。ここでは、外部のＵＳＢ電源として、パソコン３７を用いる場合の実施例が示されておりその詳細な説明は省略する。
【００５２】
なお、上述した実施例１〜実施例３では、いずれも照明具１００をＩＤカードケース１１の上部に固定されている例を示しているが、ＩＤカードケース１１の下部に固定したり、ＩＤカードケース１１の左右の側面部分に固定したりして使用することもできる。
【産業上の利用可能性】
【００５３】
本考案に係わる照明具１００は、携帯用の照明具として利用をすることができる。
【符号の説明】
【００５４】
１  基体
３  シリコン樹脂
５  ＬＥＤ
６  スイッチ
７  ＵＳＢ端子
９  ケーブル
１１  携帯用の照明具
１３  ＩＤカード
１５  貫通孔
１７ａ，ｂ  ストラップ
１９  ネック用紐
２１  携帯音楽機器（ＵＳＢ電源）
２３  ケース
３１  クリップ
３２  安全ピン
３３  衣服
３４  胸ポケット
３５  スタンド
３７  パソコン
１００  照明具
【図１】
0003194159.tif 000003
【図２】
0003194159.tif 000004
【図３】
0003194159.tif 000005
【図４】
0003194159.tif 000006
【図５】
0003194159.tif 000007